(57)【要約】【課題】被保持物をベース部材に容易に積層できるファイルを提供する。【解決手段】表表紙６、背表紙７および裏表紙８を順次連設し、表表紙６と裏表紙８とが対向するように折曲可能なファイル本体３を備える。また、このファイル本体３の裏表紙８に保持具４を配設する。この保持具４は、被保持物２を積層するベース部材２１と、このベース部材２１の裏壁部と表壁部との間に積層した被保持物２を保持する保持部材２２とを有する。さらに、ファイル本体３のベース部材２１近傍に、裏表紙８の内側面から突出した案内部５を設ける。このように案内部５を設けることにより、被保持物２をベース部材２１に積層する際に、被保持物２の端部が案内部５にて裏壁部と表壁部との間に案内され、被保持物２がベース部材２１の側面に接触せず、被保持物２を容易に積層できる。【選択図】図１
2010284889.tif 000002
【特許請求の範囲】
【請求項１】
表表紙、背表紙および裏表紙が順次連設され前記表表紙と前記裏表紙とが対向するように折曲可能なファイル本体と、
これら前記表表紙、前記背表紙および前記裏表紙のいずれかの内側面に配設された保持具と、
前記裏表紙に設けられこの裏表紙の内側面から少なくとも一部が突出した案内部とを具備し、
前記保持具は、被保持物が積層されるベース部材と、このベース部材に積層された前記被保持物を保持する保持部材とを有し、少なくとも前記被保持物を積層させる際に前記ベース部材が前記裏表紙上に位置し、
前記案内部は、前記裏表紙上に位置した状態の前記ベース部材近傍に位置している
ことを特徴としたファイル。
【請求項２】
案内部は、裏表紙上に位置した状態のベース部材の長手方向の両端部近傍および中央部近傍の少なくともいずれかに設けられた
ことを特徴とする請求項１記載のファイル。
【請求項３】
案内部は、柱状の案内部本体が裏表紙に取り付けられて形成された
ことを特徴とする請求項１または２記載のファイル。
【請求項４】
ファイル本体は、裏表紙においてこの裏表紙上に位置した状態のベース部近傍に位置する被係合部を有し、
案内部は、ベース部材と一体に形成された屈曲部と、この屈曲部に一体に形成され前記被係合部に係合可能な係合部とを有し、
前記被係合部と前記係合部とが係合されている
ことを特徴とする請求項１または２記載のファイル。
【発明の詳細な説明】
【技術分野】
【０００１】
本発明は、例えば書類や収納ホルダ等の被保持物をファイル本体内に保持する保持具を有するファイルに関する。
【背景技術】
【０００２】
従来、この種のファイルとしては、被保持物が積層されるベース部材としての台板と、この台板に取り付けられたハンドルを回動することにより操作可能であり、台板に積層された被保持物を押圧して保持する保持部材としての押え部材とを有する保持具を備えた、いわゆるＺ式のファイルが知られている（例えば、特許文献１参照。）。
【０００３】
また、本願出願人により出願したもので、保持具としての綴じ具を備え、この綴じ具は、被保持物が積層される断面コ字状のベース部材としての保持具本体と、この保持具本体に取り付けられ、起立状態と倒伏状態との間で変形可能であり、倒伏状態にて前記ベース部材に積層された被綴込物を綴じ込んで保持する保持部材としての綴じ部材とが設けられたものが知られている（例えば、特許文献２参照。）。
【先行技術文献】
【特許文献】
【０００４】
【特許文献１】実開昭６３−１７９１６１号公報（第１，２頁、第１図）
【特許文献２】特願２００８−３１０４９５号
【発明の概要】
【発明が解決しようとする課題】
【０００５】
しかしながら、上述した各構成のファイルでは、ファイル本体にベース部材を取り付けることにより、前記ファイル本体と前記ベース部材との間にわずかな隙間や段差ができる。そして、ベース部材に被保持物を積層させる場合には、裏表紙から背表紙へ向かって裏表紙に沿って前記被保持物を移動させることが想定されるが、移動の際に前記被保持物が前記隙間に入り込んだり、前記被保持物の端部が前記ベース部材の側面に接触したりするため、前記被保持物を前記ベース部材に容易に積層できない問題が考えられる。特に、例えば複数の被保持物を保持する際等には、複数の被保持物をあらかじめ積層させた状態で、裏表紙側から背表紙側へ向かってファイル本体の内面に沿って移動させると、前記裏表紙側に位置する被保持物は、他の被保持物の重力等により裏表紙側へ押し付けられるので、前記裏表紙側に位置する被保持物が前記隙間に入り込んだり、前記裏表紙側に位置する被保持物の端部が前記ベース材部の側面に接触したりしやすく、前記被保持物を前記ベース部材に容易に積層できない。
【０００６】
本発明はこのような点に鑑みなされたもので、被保持物をベース部材に容易に積層できるファイルを提供することを目的とする。
【課題を解決するための手段】
【０００７】
本発明は、表表紙、背表紙および裏表紙が順次連設され前記表表紙と前記裏表紙とが対向するように折曲可能なファイル本体と、これら前記表表紙、前記背表紙および前記裏表紙のいずれかの内側面に配設された保持具と、前記裏表紙に設けられこの裏表紙の内側面から少なくとも一部が突出した案内部とを具備し、前記保持具は、被保持物が積層されるベース部材と、このベース部材に積層された前記被保持物を保持する保持部材とを有し、少なくとも前記被保持物を積層させる際に前記ベース部材が前記裏表紙上に位置し、前記案内部は、前記裏表紙上に位置した状態の前記ベース部材近傍に位置しているものである。
【発明の効果】
【０００８】
本発明によれば、裏表紙上に位置した状態のベース部材の近傍に裏表紙から少なくとも一部が突出した案内部が設けられていることにより、この案内部にて被保持物の端部がベース部材に案内され被保持物と前記ベース部材の端部との接触を防止できるので、前記被保持物を容易に積層できる。
【図面の簡単な説明】
【０００９】
【図１】本発明のファイルにおける第１の実施の形態を示す平面図である。
【図２】同上ファイルにおける一部を切り欠いた斜視図である。
【図３】同上ファイルにおける部分断面図である。
【図４】（ａ）ないし（ｃ）は、同上ファイルにおける変形例を示す断面図である。
【図５】（ａ）および（ｂ）は、同上ファイルにおける変形例を示す断面図である。
【図６】本発明のファイルにおける第２の実施の形態を示す平面図である。
【図７】同上ファイルの変形例を示す平面図である。
【図８】本発明のファイルにおける第３の実施の形態を示す断面図である。
【発明を実施するための形態】
【００１０】
以下、本発明の第１の実施の形態の構成について図１ないし図５を参照しながら詳細に説明する。
【００１１】
図１に示すファイル１は、例えば書類や収納ホルダ等の一側に図示しない被係合孔を有する被保持物２を保持するものである。
【００１２】
ファイル１は、ファイル本体３を備え、このファイル本体３には、被保持物２を積層した状態にて保持する保持具４と、被保持物２を保持具４の積層位置に案内する案内部５とが設けられている。
【００１３】
ファイル本体３は、例えば、合成樹脂や紙等にて略矩形状に形成されている。このファイル本体３は、矩形状の表表紙６と、細長矩形状の背表紙７と、矩形状の裏表紙８と、矩形状の折返片９とが順次一体に連設されて形成されている。また、ファイル本体３には、表表紙６に形成された折曲線１１と、表表紙６と背表紙７とを区切る折曲線１２、背表紙７と裏表紙８とを区切る折曲線１３、裏表紙８に形成された折曲線１４、裏表紙８と折返片９とを区切る折曲線１５および折返片９に形成された折曲線１６が設けられている。さらに、ファイル本体３の表表紙６の折曲線１１と折曲線１２との間には係止孔１７が形成されている。
【００１４】
ファイル本体３は、折曲線１２および折曲線１３にて表表紙６と裏表紙８とを対向させるように折曲可能であり、通常、ファイル１は、表表紙６と裏表紙８とが対向し、折返片９が裏表紙８側へ折り返され、被保持物２をファイル本体３の内面側に保持した状態にて、収納棚やデスク等の収納体に収納される。
【００１５】
図２および図３に示すように、保持具４は、合成樹脂等にて形成され、裏表紙８に取り付けられたベース部材２１と、合成樹脂等にて形成され、ベース部材２１に接続された保持部材２２とを有する。
【００１６】
ベース部材２１は、裏表紙８における背表紙７側の端部に接合された裏壁部２３と、この裏壁部２３に平行な表壁部２４と、これら裏壁部２３と表壁部２４との間に設けられ、裏壁部２３および表壁部２４に略垂直に接続された背壁部２５とを有した断面略コ字状に成形されている。また、ベース部材２１は、裏壁部２３、表壁部２４および背壁部２５の長手方向の両端部に、これら裏壁部２３、表壁部２４および背壁部２５に略垂直に接続し、互いに対向する端壁部２６が設けられ、背壁部２５の対向方向へ向かって開口した１つの開口部２７を有する箱状に形成されている。なお、被保持物２は端部が開口部２７からベース部材２１へ挿入され、裏壁部２３と表壁部２４との間に被保持物２が積層される。
【００１７】
表壁部２４には、所定の距離を離間させた略矩形状の２つの図示しない挿通孔が形成されており、裏壁部２３における表壁部２４の挿通孔の延長線上には、略矩形状の２つの挿通孔２８が形成されている。また、表壁部２４には、表表紙６の係止孔１７と係合可能な係合突起部２９が、裏壁部２３とは反対側へ向かって突出して形成されている。
【００１８】
保持部材２２は、２つの綴じ部材３１と、これら２つの綴じ部材３１に接続された略矩形板状の操作部材３２とを有する。
【００１９】
各綴じ部材３１は、対をなす第１綴じ部材３３および第２綴じ部材３４から形成され、これら第１綴じ部材３３および第２綴じ部材３４は、一端が表壁部２４に接続されたフレーム部３５と、このフレーム部３５の他端に接続された挿通部３６とを有している。
【００２０】
フレーム部３５は、可撓性を有する略矩形板状に形成されており、表壁部２４に接続された一端を中心に、他端側も表壁部２４に接触し表壁部２４と略平行な状態と、他端側が表壁部２４から離間し表壁部２４に対して傾斜した状態との間で回動可能である。
【００２１】
挿通部３６は、略矩形板状に形成され、フレーム部３５の他端に一体に略直角に接続されている。また、挿通部３６は、フレーム部３５が表壁部２４に略平行な状態にて、表壁部２４の挿通孔および裏壁部２３の挿通孔２８に挿通可能である。
【００２２】
ここで、第１綴じ部材３３の挿通部３６の先端と第２綴じ部材３４の挿通部３６の先端とは図示しないヒンジ部にて接続されており、綴じ部材３１は第１綴じ部材３３と第２綴じ部材３４とヒンジ部を介して一体的に形成されている。
【００２３】
また、各綴じ部材における第２綴じ部材３４の外側面であり、フレーム部３５と挿通部３６との接続部分には図示しないヒンジ部にて操作部材３２が一体に接続され、この操作部材３２にて２つの綴じ部材３１が接続されており、これら２つの綴じ部材３１が連動する。
【００２４】
そして、保持部材２２は、操作部材３２を表壁部２４から離間させるように引くことにより、各綴じ部材３１のフレーム部３５は他端側が操作部材３２とともに表壁部２４から離間するように回動し、フレーム部３５が表壁部２４に対して傾斜し、かつ、第１綴じ部材３３の挿通部３６と第２綴じ部材３４の挿通部３６とが略Ｖ字状になり、挿通部３６が表壁部２４の挿通孔および裏壁部２３の挿通孔２８を挿通してない起立状態となる。一方、起立状態の保持部材２２は、操作部材３２を表壁部２４に接近させるように押圧することにより、各綴じ部材３１のフレーム部３５は他端側が操作部材３２とともに表壁部２４に接近するように回動し、図２に示すような、フレーム部３５が表壁部２４に略平行であり、かつ、第１綴じ部材３３の挿通部３６と第２綴じ部材３４の挿通部３６とが略平行になり、挿通部３６が表壁部２４の挿通孔および裏壁部２３の挿通孔２８を挿通した倒伏状態となる。なお、倒伏状態の保持部材２２は、挿通部３６が、表壁部２４の挿通孔および裏壁部２３の挿通孔２８とともに、ベース部材２１に積層された被保持物２の被係合孔も挿通して、被保持物２をベース部材２１に積層した状態にて保持する。
【００２５】
案内部５は、裏表紙８におけるベース部材２１の長手方向の両端部近傍および中央部近傍の３箇所、すなわち、裏表紙８における折曲線１４の両端部近傍および中央部近傍の３箇所に形成され、３つの案内部５の長手方向の長さの合計は、ベース部材２１の裏壁部２３の長手方向の長さの１／１０から３／１０程度となるように設計されている。
【００２６】
各案内部５の両端には、裏表紙８の一部を例えば矩形状等に切り欠いて形成した２つのの切込部３７が形成されている。これら２つの切込部３７，３７を裏表紙８に形成し、２つの切込部３７，３７間をエンボス加工にて型加工することにより、案内部５が、裏表紙８におけるファイル本体３を折曲した際に表表紙６と対向する面である内側面から突出して形成される。
【００２７】
案内部５は、案内部５の頂部が裏壁部２３の内側面より高ければ、想定される被保持物２の厚みや材質によって案内部５の高さを適宜設計可能である。すなわち、例えば、被保持物２が厚さの薄い紙や合成樹脂シート等の場合は、被保持物２が撓みやすいので、図４（ａ）に示すように、被保持物２をベース部材２１に積層させる際に、被保持物２が撓んで端部のみが下降し、ベース部材２１の側面、すなわち裏壁部２３の側面に接触してしまう可能性も考えられる。そこで、被保持物２として撓みやすいものが想定される場合等は、図４（ｂ）に示すように、案内部５の高さを裏壁部２３より高くし、被保持物２が撓んで端部のみが下降しても、裏壁部２３の側面に接触せず、ベース部材２１に積層できる構成等に設計可能である。また、例えば、被保持物２は厚さが厚く撓みにくい厚紙や合成樹脂シート等の場合は、被保持物２が撓みにくく被保持物２の端部のみが下降しにくいので、図４（ｃ）に示すように、案内部５の頂部の高さを裏壁部２３と同等に設計し、案内部５を通過させた被保持物２の端部がベース部材２１に積層される構成等に設計可能である。
【００２８】
なお、ファイル本体３が合成樹脂にて形成された構成を想定し、案内部５を形成する型加工をエンボス加工としたが、型加工の方法は、ファイル本体３の素材によって適宜変更可能である。例えば、ファイル本体３が紙製の場合は、型を使用し、裏表紙８の一部を外面側から内面側へ押し、両側を寄せ上げる、いわゆる、スジ押し加工にて案内部５を形成する。
【００２９】
次に、上記第１の実施の形態の作用、動作および効果を説明する。
【００３０】
ファイル１に被保持物２を保持する際には、まず、表表紙６と裏表紙８とが対向するように折曲されたファイル本体３において、表表紙６の係止孔１７と、保持具４の係合突起部２９との係合を解除し、ファイル本体３を開く。
【００３１】
次いで、保持具４の操作部材３２を引き上げ、保持部材２２を倒伏状態から起立状態へ変化させる。
【００３２】
次いで、図４（ｂ）や図４（ｃ）に示すように、被保持物２の端部が案内部５上を通過するように、被保持物２を裏表紙８に沿って裏表紙８から背表紙７への方向へ移動させ、ベース部材２１の裏壁部２３と表壁部２４との間に被保持物２の一部を挿入して、ベース部材２１に被保持物２を積層させる。
【００３３】
ベース部材２１に被保持物２を積層させた状態にて、保持部材２２を倒伏状態にし、挿通部３６を被保持物２の係合孔に挿通させ、被保持物２を係合して、保持部材２２にてベース部材２１に積層された状態の被保持物２を保持する。
【００３４】
このように被保持物２を保持した状態にて、ファイル本体３を折曲して表表紙６の係止孔１７と保持具４の係合突起部２９とを係合させ、ファイル１を閉じ、収納棚やデスク等の収納体に収納する。
【００３５】
そして、このような構成のファイル１によれば、裏表紙８における裏表紙８上に位置したベース部材２１の近傍に案内部５が設けられていることにより、ベース部材２１に被保持物２を積層させる際に、裏表紙８に沿って被保持物２を移動させても、被保持物２の端部が案内部５を通過してベース部材２１の裏壁部２３と表壁部２４との間に案内され、被保持物２の端部と裏壁部２３の側面との接触を防止できるので、被保持物２をベース部材２１に容易に積層できる。
【００３６】
特に、複数の被保持物２を予め積層した状態にて同時にベース部材２１に積層させる場合は、複数の被保持物２のうち最も裏表紙８側に位置する被保持物２は、通常、他の被保持物２の重量等により裏表紙８側に押し付けられ、裏壁部２３の側面に接触しやすいが、案内部５が設けられたことにより、この案内部５にて被保持物２の端部が裏壁部２３と表壁部２４との間に案内されて裏壁部２３の側面に接触しないので、複数の被保持物２を同時にベース部材２１に積層でき、操作性が良好である。
【００３７】
また、案内部５が設けられていることにより、被保持物２の端部が裏壁部２３の側面に接触せず、被保持物２をベース部材２１の積層位置に確実に積層できるので、被保持物２を保持具４によって正確に保持できる。
【００３８】
ファイル本体３の裏表紙８にエンボス加工やスジ押し加工等の型加工をして案内部５が形成されることにより、ファイル本体３の成形にともなって案内部５を設けることができるので容易に案内部５を形成できる。
【００３９】
また、案内部５を設けるために別部材を用意する必要がなく、コストの高騰を防止できる。
【００４０】
案内部５が、裏表紙８における少なくともベース部材２１の長手方向の両端部近傍および中央部近傍の３箇所に形成されることにより、被保持物２の端部全体を確実にベース部材２１に積層できるとともに、案内部５の数が増加することによる製造工程の煩雑化を防止できる。
【００４１】
ここで、案内部５を型加工にて形成すると、その分ファイル本体３の強度が低下してしまうが、案内部５を３箇所のみに形成することにより、案内部５の形成箇所の数を抑えることができるので、案内部５の形成によるファイル本体３の強度の低下を抑制できる。
【００４２】
なお、被保持物２のベース部材２１に積層される方の端部の長さ、すなわち、被保持物２の長手方向の長さが短い場合や、被保持物２が撓みにくい厚紙や合成樹脂シートにより形成されている場合は、案内部５は、ベース部材２１の長手方向の両端部近傍の２箇所にのみあればよい。また、端壁２６が設けられていない構成の保持具４においてベース部材２１の長手方向の長さが被保持物２の長手方向の長さに対して極端に短い場合は、ベース部材２１の長手方向の長さと同等の長さの案内部５を裏表紙８のベース部材２１近傍の１箇所にのみ設ければよい。これらのような構成では、上記の案内部５を３箇所に形成した構成よりもさらに案内部５の数を少なくできるので、案内部５の形成によるファイル本体３の強度の低下をより抑制できる。
【００４３】
案内部５の高さを裏壁部２３より高く設計することにより、例えば厚さの薄い紙や合成樹脂シート等のように撓みやすく端部のみが下降しやすい被保持物２であっても、案内部５が裏壁部２３より高いので、被保持物２の端部が案内部５を通過する際に被保持物２が撓んで案内部５より保持具４側に位置する端部のみが下降した場合等でも、被保持物２を確実にベース部材２１に積層できる。
【００４４】
表表紙６に折曲線１１を設け、裏表紙８に折曲線１４を設けることにより、ファイル１に保持された被保持物２を閲覧する際に折曲線１１にて表表紙６を折曲でき、折曲線１４にて裏表紙８を折曲できるので、被保持物２を閲覧しやすい。
【００４５】
表表紙６に係止孔１７を設け、保持具４に係止孔１７と係合可能な係合突起部２９を設けることにより、ファイル本体３が不意に開くことを防止できる。
【００４６】
なお、上記第１の実施の形態では、保持具４は、断面略コ字状のベース部材２１と、このベース部材２１に取り付けられ、起立状態と倒伏状態との間で変化可能な保持部材２２とから形成され、保持部材２２の挿通部３６を被保持物２の係合孔に挿通して被保持物２をファイル本体３の内部に保持する構成としたが、このような構成には限定されず、保持具４は、被保持物２を積層するベース部材２１と、このベース部材２１に積層された状態の被保持物２を保持する保持部材とを有する構成であればよい。保持具４としては、例えば、板状のベース部材と、このベース部材に取り付けられたハンドルを回動することにより操作可能であり、ベース部材に積層された被保持物を押圧して保持する板状の保持部材とから構成される、いわゆるＺ式とよばれる保持具等でもよい。
【００４７】
また、被保持物２は一側に係合孔を有するものとしての説明したが、このような構成には限定されず、従来ファイルやバインダ等にて保持されるものであればよく、保持具４の構成に応じて、係合孔を有しないものでもよい。
【００４８】
ファイル本体３は、折返片９が設けられた構成としたが、このような構成には限定されず、表表紙６、背表紙７および裏表紙８が折曲可能に順次連設された構成であればよい。
【００４９】
また、ファイル本体３は、折曲線１１，１２，１３，１４が設けられ、折曲線１２および折曲線１３にて表表紙６と裏表紙８とが対向するように折曲可能な構成としたが、このような構成には限定されず、ファイル本体３は、表表紙６と裏表紙８とが対向するように折り曲げ可能であれば、折曲線１１，１２，１３，１４等を設けない構成にしてもよい。
【００５０】
保持具４は、裏壁部２３が裏表紙８に取り付けられた構成としたが、このような構成には限定されず、ベース部材２１がファイル本体３の内面側に取り付けられ、被保持物２を積層させる際にベース部材２１が裏表紙８上に位置する構成であればよい。例えば、図５（ａ）に示すように、開口部２７が上方を向くように背壁部２５をファイル本体３の背表紙７上に接合してベース部材２１を取り付け、図５（ｂ）に示すように、ファイル本体３を折曲した際にベース部材２１が裏表紙８上に位置する構成等にしてもよい。
【００５１】
案内部５は、案内部５全体が裏表紙８の内面側から突出した構成には限定されず、案内部５の少なくとも一部が裏表紙８の内面側から突出した構成であればよい。
【００５２】
また、案内部５は、型加工にて形成する構成に限定されず、裏表紙８の少なくとも一部が内面側から突出して形成できる方法であればよい。
【００５３】
さらに、案内部５は、裏表紙８におけるベース部材２１の長手方向の少なくとも両端部近傍および中央部近傍の３箇所に形成された構成とすることにより、被保持物２の端部全体をより確実に裏壁部２３と表壁部２４との間に案内でき、ベース部材２１に被保持物２の端部全体を積層できるので好ましいが、このような構成には限定されず、案内部５を設ける箇所は適宜設定でき、裏表紙８上に位置した状態のベース部材２１近傍に案内部５が位置していればよい。例えば、裏表紙８上に位置するベース部材２１近傍に複数の案内部５が連続的に設けられた構成、裏表紙８上に位置するベース部材２１近傍にベース部材２１の長手方向と同等の長さの案内部５が設けられた構成、裏表紙８上に位置するベース部材２１の長手方向の中央部近傍のみに案内部５が設けられた構成、裏表紙８上に位置するベース部材２１の長手方向の両端部近傍のみに案内部５が設けられた構成等でもよい。
【００５４】
次に、第２の実施の形態について図６および図７を参照しながら説明する。なお、上記の実施の形態と同一の構成については、同一符号を付してその説明を省略する。
【００５５】
図６に示すように、案内部４１は、例えば合成樹脂等にて形成され、ファイル本体３とは別個の例えば合成樹脂等にて柱状に形成された案内部本体４２が裏表紙８に取り付けられて構成されている。
【００５６】
この案内部本体４２は、ファイル本体３の成形後、裏表紙８におけるベース部材２１の長手方向の両端部近傍および中央部近傍の３箇所に接合されて取り付けられる。
【００５７】
そして、このような案内部４１が設けられることにより、上記第１の実施の形態と同様に被保持物２をベース部材２１に積層させやすい。
【００５８】
また、ファイル本体３とは別個の案内部本体４２を接合して、案内部４１を形成することにより、ファイル本体３を型加工することによるファイル本体３の強度の低下を防止できる。
【００５９】
さらに、ファイル本体３に案内部本体４２を接合するだけなので、特殊な処理をすることなく容易に形成できる。
【００６０】
また、ファイル本体３とは別個の部材であるので、案内部本体４２の素材として、例えば被保持物２の端部が案内部４１を通過する際の被保持物２と案内部５との摩擦を低減できる素材等のように、案内部４１としての性能のみを考慮した素材を選定できる。
【００６１】
なお、裏表紙８におけるベース部材２１の長手方向の両端部近傍および中央部近傍の３箇所に案内部本体４２を接合する構成としたが、この実施の形態においてもこのような構成には限定されず、例えば、図７に示すように、ベース部材２１の長手方向の長さと同等の長さの案内部本体４２をベース部材２１の近傍に接合する構成等にしてもよい。
【００６２】
また、案内部本体４２は、柱状に形成されたものであればよく、例えばボス等を案内部本体４２として用いてもよい。
【００６３】
次に、第３の実施の形態について図８を参照しながら説明する。なお、上記の実施の形態と同一の構成については、同一符号を付してその説明を省略する。
【００６４】
図８に示すように、ファイル本体３は、裏表紙８におけるベース部材２１の近傍に被係合部としての凹部４７が形成されている。この凹部４７は、裏表紙８の内側面から外側面の方向へ向かって凹状に形成されている。
【００６５】
案内部４４は、ベース部材２１の裏壁部２３と一体に形成され、円弧状に屈曲した屈曲部４５と、この屈曲部４５に一体に形成され、凹部４７に係合可能な係合部４６とを有している。
【００６６】
屈曲部４５は、係合部４６を凹部４７に係合した状態において裏表紙８の内側面と同じ高さの部分に接続された滑らかな曲面４８が設けられている。
【００６７】
係合部４６は、曲面４８の裏壁部２３とは反対側の端部、すなわち、係合部４６を凹部４７に係合した状態において裏表紙８の内側面と同じ高さの部分から、裏壁部２３に対して垂直方向へのびている。
【００６８】
そして、係合部４６が凹部４７に挿入され、係合部４６と凹部４７とが係合されて、屈曲部４５の曲面４８からベース部材２１側が裏表紙８から突出し、案内部４４が構成されている。
【００６９】
このような案内部４４が設けられることにより、屈曲部４５の曲面４８からベース部材２１側が裏表紙８から突出しているので、被保持物２を積層させる際に円弧状の屈曲部４５の曲面４８上を通過させて、被保持物２の端部を裏壁部２３と表壁部２４との間に案内でき、被保持物２をベース部材２１に容易に積層できる。
【００７０】
また、ベース部材２１の裏壁部２３と案内部５とが一体であることにより、保持具４を成形する際に保持具４の一部として案内部５を成形できるので、型加工等の処理を行う必要がなく、容易に製造できるとともに、加工によるファイル本体３の強度の低下を防止できる。
【００７１】
さらに、案内部４４が裏壁部２３と一体に成形されていることにより、被保持物２の厚さや材質による影響がないので、どのような被保持物２であっても対応可能である。
【００７２】
なお、上記第１の実施の形態および第２の形態と同様に、少なくともベース部材２１の長手方向の両端部および中央部の３箇所に設けることにより、より確実に被保持物２をベース部材２１に積層できるので好ましいが、このような構成には限定されず、案内部５の数や形状は適宜設計できる。
【００７３】
また、被係合部は、係合部４６と係合可能であれば、裏表紙８の内側面から凹状の構成に限定されず、例えば、裏表紙８の内側面から外側面へ貫通した貫通孔等にしてもよい。
【符号の説明】
【００７４】
１    ファイル
２    被保持物
３    ファイル本体
４    保持具
５    案内部
６    表表紙
７    背表紙
８    裏表紙
２１  ベース部材
２２  保持部材
４１  案内部
４２  案内部本体
４４  案内部
４５  屈曲部
４６  係合部
４７  被係合部としての凹部
【図１】
2010284889.tif 000003
【図２】
2010284889.tif 000004
【図３】
2010284889.tif 000005
【図４】
2010284889.tif 000006
【図５】
2010284889.tif 000007
【図６】
2010284889.tif 000008
【図７】
2010284889.tif 000009
【図８】
2010284889.tif 000010